(57)【要約】【課題】強風による幟旗の巻揚げや旗竿への巻付き等を防止して幟旗の視認性を確保可能とする新規な構造からなる幟用乳輪止め具、およびその幟用乳輪止め具の新規な装着方法を提供する。【解決手段】短筒状で、その周回りの一部を筒長方向に所定巾分だけ切り欠いて装着用開口部２２を開口した嵌着用胴部２１と、該嵌着用胴部２１下端縁から外側に迫出し状に形成してなる乳輪留め鍔部２３とを有し、乳輪留め鍔部２３の周方向端の双方に連係部２４，２４を形成した止め具本体２を設け、それら連係部２４，２４を閉鎖状態に固定可能とする連係駒３を嵌着可能に組み合わせてなるものとした幟用乳輪止め具１である。【選択図】    図１
2004157194.tif 000002
【特許請求の範囲】
【請求項１】
短筒状で、その周回りの一部を筒長方向に所定巾分だけ切り欠いて開口部としてなる嵌着用胴部と、該嵌着用胴部下端縁から外側に迫出し状に形成してなる乳輪留め鍔部とを有し、当該装着用開口部における嵌着用胴部および／または乳輪留め鍔部の周方向端縁の一方または双方に、同装着用開口部を仮閉鎖状となし得るようにする一方の連係部を形成して止め具本体となす一方、該止め具本体には、同止め具本体とは別体または実質的に別体であって、他方の連係部を有したものとし、当該止め具本体の一方の連係部とで、当該装着用開口部を仮閉鎖状にする連係構造を形成し得るようにした連係駒を組み合わせてなるものとしたことを特徴とする幟用乳輪止め具。
【請求項２】
旗竿の太さに略匹敵する内径の短筒状であって、その周回りの一部を筒長方向に所定巾分だけ切り欠き、旗竿適所において、その軸心に直交する方向からの嵌着を可能にする  開口部としてなる嵌着用胴部と、該嵌着用胴部下端縁から外側に迫出し状に形成してなる乳輪留め鍔部とを有し、当該装着用開口部において対峙状となっている嵌着用胴部および／または乳輪留め鍔部の周方向端縁の一方または双方に、別体の連係駒との間の連係構造で同装着用開口部を仮閉鎖状となし得るようにする一方の連係部を形成して止め具本体となす一方、該止め具本体には、同止め具本体とは別体または実質的に別体で、前記連係構造における他方の連係部を有し、当該止め具本体の一方の連係部とで連係構造を形成し得るようにした連係駒を組み合わせてなるものとしたことを特徴とする幟用乳輪止め具。
【請求項３】
旗竿の太さに略匹敵する内径の短筒状であって、その周回りの一部を筒長方向に所定巾分だけ切り欠き、旗竿適所において、その軸心に直交する方向からの嵌着を可能にする  開口部とすることにより、平断面略Ｃ字形としてなる嵌着用胴部と、該嵌着用胴部下端縁から外側に迫出し状に形成してなる乳輪留め鍔部とを有し、当該装着用開口部において対峙状となっている嵌着用胴部および／または乳輪留め鍔部の周方向端縁の一方または双方夫々に、旗竿の軸に平行する方向に屈曲、回動可能とした片状の連係部を一体形成してなる、適度に弾性変形可能な合成樹脂製の止め具本体となす一方、該止め具本体には、同止め具本体とは別体または実質的に別体で、当該止め具本体の片状の連係部に跨って嵌着可能な連係構造を形成し得るようにする他方の連係部を形成した連係駒を組み合わせてなるものとしたことを特徴とする幟用乳輪止め具。
【請求項４】
所望する箇所に適宜立設構造によって略鉛直状に立設可能であり、その上端に吊棒を片持状に横設した旗竿を有し、縦長状に形成された幟旗本体の一側縁の上下所定間隔置き複数箇所に設けられた各側縁乳輪部を、旗竿に沿って装着し、同幟旗本体の上縁に左右所定間隔置きの複数箇所に設けた各上縁乳輪部を、吊棒に沿って装着することにより、幟旗を掲揚可能とした幟旗掲揚装置の、当該幟旗の少なくとも最下位となる側縁乳輪部の直上付近となる旗竿中途適所に対し、短筒状で、その周回りの一部を筒長方向に所定巾分だけ切り欠いて開口部としてなる嵌着用胴部と、該嵌着用胴部下端縁から外側に迫出し状に形成してなる乳輪留め鍔部とを有し、当該装着用開口部における嵌着用胴部および／または乳輪留め鍔部の周方向端縁の一方または双方に、同装着用開口部を仮閉鎖状となし得るようにする一方の連係部を形成してなる止め具本体を、該連係部を開放して当該装着用開口部を旗竿中途に押圧して同心状に嵌着させた後、当該連係部を閉鎖姿勢とした上、同連係部に連係駒を嵌着し、止め具本体が旗竿から離脱しないよう固着するようにしたことを特徴とする、請求項１ないし３何れか一項記載の幟用乳輪止め具の装着方法。
【請求項５】
短筒状で、その周回りの一部を筒長方向に所定巾分だけ切り欠いて開口部としてなる嵌着用胴部を有し、当該装着用開口部における嵌着用胴部の外周適所には、幟旗本体の乳輪縫合部あるいは乳輪部付近の適宜補強された適所に繋がれた繋着体を連結可能とする連係部を形成して止め具本体となす一方、短筒状で、その周回りの一部を筒長方向に所定巾分だけ切り欠いて開口部としてなる規制具本体を、前記止め具本体の上方への移動を規制可能とするよう、同止め具本体よりも僅か上方となる旗竿の中途適所に装着、組み合わせるようにしたことを特徴とする幟用乳輪止め具。
【請求項６】
短筒状で、その周回りの一部を筒長方向に所定巾分だけ切り欠いて開口部としてなる嵌着用胴部を有し、当該装着用開口部における嵌着用胴部の外周適所には、幟旗本体の乳輪縫合部あるいは乳輪部付近の適宜補強された適所に繋がれた繋着体を連結可能とする連係部を形成して平断面略Ｃ字形とした、適度に弾性変形可能な合成樹脂製の止め具本体となす一方、短筒状で、その周回りの一部を筒長方向に所定巾分だけ切り欠いて開口部として平断面略Ｃ字形とした、適度に弾性変形可能な合成樹脂製の規制具本体を、前記止め具本体の上方への移動を規制可能とするよう、同止め具本体よりも僅か上方となる旗竿の中途適所に装着、組み合わせるようにしたことを特徴とする幟用乳輪止め具。
【請求項７】
片状の連係部が、止め具本体の装着用開口部における嵌着用胴部の周方向端縁の一方または双方に突設、形成され、しかも、旗竿軸方向の上側もしくは下側に片寄った位置の片状の連係部には、繋着体を連結可能な繋着孔を穿孔してなるものとした、請求項５または６何れか一項記載の幟用乳輪止め具。
【請求項８】
所望する箇所に適宜立設構造によって略鉛直状に立設可能であり、その上端に吊棒を片持状に横設した旗竿を有し、縦長状に形成された幟旗本体の一側縁の上下所定間隔置き複数箇所に設けられた各側縁乳輪部を、旗竿に沿って装着し、同幟旗本体の上縁に左右所定間隔置きの複数箇所に設けた各上縁乳輪部を、吊棒に沿って装着することにより、幟旗を掲揚可能とした幟旗掲揚装置の、当該幟旗の少なくとも最下位となる側縁乳輪部の直下付近となる旗竿中途適所に対し、短筒状で、その周回りの一部を筒長方向に所定巾分だけ切り欠いて開口部としてなる嵌着用胴部を有し、当該装着用開口部における嵌着用胴部の外周適所には、幟旗本体の乳輪縫合部あるいは乳輪部付近の適宜補強された適所に繋がれた繋着体を連結可能とする連係部を形成して止め具本体を嵌着すると共に、該止め具本体外周適所に形成された片状の連係部には、幟旗本体の対応する側縁乳輪部の縫合部あるいは同乳輪部付近の適宜補強された適所に繋いだ繋着体を連結した上、短筒状で、その周回りの一部を筒長方向に所定巾分だけ切り欠いて開口部としてなる規制具本体を、前記止め具本体が上方に移動するのを規制可能とするよう、当該止め具本体よりも僅か上方となる旗竿の中途適所に嵌着するようにしたことを特徴とする請求項５ないし７何れか一項記載の幟用乳輪止め具の装着方法。
【発明の詳細な説明】
【０００１】
【発明の目的】
この発明は、店頭や歩道沿い等に掲げて宣伝、広告あるいは装飾等に用いられる幟旗の掲揚技術に関連するものであって、特に、強風による幟旗の巻揚げや旗竿への巻付き等を防止して幟旗の視認性を確保可能とする新規な構造からなる幟用乳輪止め具、およびその幟用乳輪止め具の新規な装着方法を提供しようとするものである。
【０００２】
【従来の技術】
店頭や歩道に沿って旗竿を立設し、幟旗を掲げる幟旗掲揚装置は、宣伝、広告または装飾等の表示を施した幟旗を、通行する人々に掲示し、店名や社名、提供しようとするサービスの内容、あるいは交通安全の呼びかけ等、様々な用途に広く用いられており、その構造は、一般的に、図５の幟旗掲揚装置の正面図に示されるように、所定高さ寸法に設定された旗竿７１の上端に吊棒７２を片持状に横設し、略縦長矩形状に形成された幟旗本体８１の一側縁上下所定間隔置き毎の複数箇所に設けられた各側縁乳輪部８２，８２，……を旗竿７１に沿って装着し、同幟旗本体８１の上縁左右所定間隔置き毎の複数箇所に設けた各上縁乳輪部８４，８４，８４を、吊棒７２に沿って夫々装着した上、旗竿７１の基端を所望する地上箇所に植設された設置用円筒管に対して着脱自在に装着することにより、幟旗８を掲揚可能としたものである。
【０００３】
これらの幟旗掲揚装置７は、旗竿７１および吊り棒７２等の部分がグラスファイバー樹脂やカーボンファイバー樹脂等の強化プラスチックからなる軽量素材から形成され、幟旗８が比較的軽量な化学繊維から形成される等、軽量且つ高強度に製造されたものが殆どであり、荒天に対する耐久性にも秀れたものとなっているが、強風に曝されると、図６の幟旗が捲れ揚がった幟旗掲揚装置の正面図に示すように、幟旗８が旗竿７１の上方に引き揚げられてしまったり、図７の幟旗が巻き付いた幟旗掲揚装置の正面図に示すように、幟旗８が旗竿７１に纏い付き、幟旗８の表示が見え辛くなって本来の役目を全うすることができなくなってしまうことになる。
【０００４】
そのため、こうした幟旗の捲れ揚がりや纏い付き現象を防止するものとして、例えば、特開平１０−１１１６６２号公報記載の「旗体の乳輪止め具」発明や、特開平１０−２６９５０号公報記載の「のぼり」発明等のように、乳輪部を旗竿の中途適所に掛着して乳輪部が、旗竿の回りを回転しないように仮固定してしまうようにしたものや、あるいは特開平９−３０５１３１号公報に記載のある「のぼり旗回転装置」発明や、実用新案登録第３０２４５０４号公報に記載された「宣伝用幟］考案に三権去れるもののように、幟旗の下方適所に錘を添設して幟旗の巻き揚がりを防止するもの等が既に多数開発されている。
【０００５】
しかし、これら従前からの技術にあって、前者のように乳輪部を固定してしまうものでは、吊棒７２が旗竿７１の上端で回転自在に支持された構造の場合に、幟旗８の旗竿７１を中心とする自由な回転が妨げられ、かえって巻き付きを助長してしまうこととなってしまうものであり、また、後者のもののように、幟旗８に錘を添設する構造によるものでは、錘によって幟旗８に常に張力が加わり、幟旗８の劣化や破損を早めてしまうという欠点を生じるものとなっていたことから、幟旗の旗竿への巻き揚げや纏い付きを防止する手段として必ずしも十分なものとする訳にはいかないものであった。
【０００６】
そこで、この発明は、上記のような実情に鑑み、それら従前までのものでは十分に達成されたとはいえない幟旗の旗竿への巻き揚げや纏い付きを、効果的且つ確実に防止するようにした有効な手段はないものかとの判断から、逸速くその開発、研究に着手し、長期に渡る試行錯誤と幾多の試作、実験とを繰り返してきた結果、今回、遂に新規な構造の幟用乳輪止め具、およびその幟用乳輪止め具の新規な装着方法を実現化することに成功したものであり、以下では、図面に示すこの発明を代表する実施例と共に、その構成を詳述することとする。
【０００７】
【発明の構成】
図面に示すこの発明を代表する実施例からも明確に理解されるように、この発明に包含される幟用乳輪止め具は、基本的に次のような構成から成り立っている。        即ち、短筒状で、その周回りの一部を筒長方向に所定巾分だけ切り欠いて開口部としてなる嵌着用胴部と、該嵌着用胴部下端縁から外側に迫出し状に形成してなる乳輪留め鍔部とを有し、当該装着用開口部における嵌着用胴部および／または乳輪留め鍔部の周方向端縁の一方または双方に、同装着用開口部を仮閉鎖状となし得るようにする一方の連係部を形成して止め具本体となす一方、該止め具本体には、同止め具本体とは別体または実質的に別体であって、他方の連係部を有したものとし、当該止め具本体の一方の連係部とで、当該装着用開口部を仮閉鎖状にする連係構造を形成し得るようにした連係駒を組み合わせてなるものとした構成を要旨とする幟用乳輪止め具である。
【０００８】
この基本的な構成からなる幟用乳輪止め具を、より具体的な構成のものとして示すと、旗竿の太さに略匹敵する内径の短筒状であって、その周回りの一部を筒長方向に所定巾分だけ切り欠き、旗竿適所において、その軸心に直交する方向からの嵌着を可能にする  開口部としてなる嵌着用胴部と、該嵌着用胴部下端縁から外側に迫出し状に形成してなる乳輪留め鍔部とを有し、当該装着用開口部において対峙状となっている嵌着用胴部および／または乳輪留め鍔部の周方向端縁の一方または双方に、別体の連係駒との間の連係構造で同装着用開口部を仮閉鎖状となし得るようにする一方の連係部を形成して止め具本体となす一方、該止め具本体には、同止め具本体とは別体または実質的に別体で、前記連係構造における他方の連係部を有し、当該止め具本体の一方の連係部とで連係構造を形成し得るようにした連係駒を組み合わせてなるものとしたことを特徴とする幟用乳輪止め具ということができる。
【０００９】
そして、さらに具体的には、旗竿の太さに略匹敵する内径の短筒状であって、その周回りの一部を筒長方向に所定巾分だけ切り欠き、旗竿適所において、その軸心に直交する方向からの嵌着を可能にする  開口部とすることにより、平断面略Ｃ字形としてなる嵌着用胴部と、該嵌着用胴部下端縁から外側に迫出し状に形成してなる乳輪留め鍔部とを有し、当該装着用開口部において対峙状となっている嵌着用胴部および／または乳輪留め鍔部の周方向端縁の一方または双方夫々に、旗竿の軸に平行する方向に屈曲、回動可能とした片状の連係部を一体形成してなる、適度に弾性変形可能な合成樹脂製の止め具本体となす一方、該止め具本体には、同止め具本体とは別体または実質的に別体で、当該止め具本体の片状の連係部に跨って嵌着可能な連係構造を形成し得るようにする他方の連係部を形成した連係駒を組み合わせてなるものとしたこと幟用乳輪止め具であるということができる。
【００１０】
止め具本体は、旗竿の中途適所に対し、固定的に装着されることにより、幟旗乳輪部を係止して幟旗が、旗竿の所望箇所に掛着されたものとする機能を果たすものであり、旗竿の所望する箇所に確りと固定できる機能を有するものとしなければならず、旗竿の中途箇所に比較的容易に装着できる構造とし、しかも強風に煽られる幟旗を掛着して留めるのに十分な強度をもって形成されたものとすべきであり、比較的軽量であって特別な工具類を使用することなく、旗竿への装着ができる弾性変形可能な合成樹脂成型品からなるものとするのが望ましい。
【００１１】
嵌着用胴部は、旗竿中途適所の外周壁面に対して止め具本体を仮止め状に装着可能とする機能を果たすものであり、装着の対象となる旗竿の外径寸法に略一致するか、それよりも僅かに小さな内径寸法に設定された短筒状に形成されたものとしなければならず、周壁面の一部に装着用開口部を開口させたものとすべきであり、装着作用性を考慮すれば、平断面略Ｃ字形に形成するのが望ましい。
【００１２】
装着用開口部は、略輪形状に形成された止め具本体を、旗竿の中途箇所に対して、その周壁面外側から嵌着可能とする機能を果たすものであり、止め具本体の弾性変形を伴って旗竿の外周直径を通過可能とし、しかも嵌着用胴部の周方向寸法を十分に確保して旗竿中途所望箇所に十分な強度で嵌着できる程度の開口寸法に設定されたものとしなければならない。
【００１３】
乳輪留め鍔部は、旗竿に装着された幟旗乳輪部が通過できない程度の外郭寸法および形状を確保し、十分な強度をもって幟旗乳輪部を係止可能とする機能を果たすものであり、幟旗に強風を受けたときにも乳輪部を十分な強度で係止可能な強度に設定されたものとしなければならず、嵌着用胴部から外周側にフランジ状に延伸されたものとすべきであって、平板状、網枠状、鈎爪状等、様々な形状を採用することが可能である。
【００１４】
一方の連係部は、装着用開口部を開閉可能として開放状態では、止め具本体を旗竿に装着可能とし、閉鎖状態では旗竿から離脱できないよう固定する機能を果たし、閉鎖状態においては十分な強度で止め具本体を旗竿に装着できるものとしなければならず、嵌着用胴部あるいは乳輪留め鍔部の装着用開口部に相当する箇所に一体形成されたものとするのが望ましく、止め具本体に対して旗竿の軸心に平行な（垂直）軸心回りに回動可能な開閉構造を有するものとしたり、あるいは旗竿の軸心（上下）方向に回動可能なものとすることができる。
【００１５】
連係駒は、装着用開口部を閉鎖した上記一方の連係部を、その閉鎖姿勢に固定してしまうことにより、止め具本体が旗竿の中途適所から不用意に離脱したり、旗竿の軸心方向にズレ動いたりすることを防止して、固定状態を維持するという機能を果たすものであり、強風を受けた幟旗からその乳輪部を通じて加わる荷重によって不用意に離脱しない程度の強度をもって連係部を仮固定できる連係構造を実現するものとしなければならず、不用意に一方の連係部の開閉方向に離脱しないよう、当該連係部の開閉方向に対して略直交する方向から装着できる構造ものとする等、一方の連係部との間で確りとした連係構造を形成する他方の連係部が形成されてなるものとしなければならならず、それら連係構造に応じ、一方の連係部と他方の連係部との構造が適宜決定されれば足り、得にその構造が限定されるものではない。
【００１６】
【関連する発明１】
上記した幟用乳輪止め具に関連し、この発明には幟用乳輪止め具の装着方法も包含しており、その構成は、基本的に次のとおりのものである。
即ち、所望する箇所に適宜立設構造によって略鉛直状に立設可能であり、その上端に吊棒を片持状に横設した旗竿を有し、縦長状に形成された幟旗本体の一側縁の上下所定間隔置き複数箇所に設けられた各側縁乳輪部を、旗竿に沿って装着し、同幟旗本体の上縁に左右所定間隔置きの複数箇所に設けた各上縁乳輪部を、吊棒に沿って装着することにより、幟旗を掲揚可能とした幟旗掲揚装置の、当該幟旗の少なくとも最下位となる側縁乳輪部の直上付近となる旗竿中途適所に対し、短筒状で、その周回りの一部を筒長方向に所定巾分だけ切り欠いて開口部としてなる嵌着用胴部と、該嵌着用胴部下端縁から外側に迫出し状に形成してなる乳輪留め鍔部とを有し、当該装着用開口部における嵌着用胴部および／または乳輪留め鍔部の周方向端縁の一方または双方に、同装着用開口部を仮閉鎖状となし得るようにする一方の連係部を形成してなる止め具本体を、該連係部を開放して当該装着用開口部を旗竿中途に押圧して同心状に嵌着させた後、当該連係部を閉鎖姿勢とした上、同連係部に連係駒を嵌着し、止め具本体が旗竿から離脱しないよう固着するようにした、上記までのこの発明による幟用乳輪止め具の装着方法である。
【００１７】
この幟用乳輪止め具の装着方法は、幟旗の少なくとも最下位となる側縁乳輪部の直上付近となる旗竿中途適所に対して幟用乳輪止め具を装着するものであり、したがって、一個の幟用乳輪止め具を、幟旗の最下位となる側縁乳輪部の直上付近に相当する旗竿中途適所だけに設けるようにしたり、あるいは、幟旗の複数の側縁乳輪部夫々の各直上付近に相当する旗竿中途の複数適所に夫々設けたものとすることが可能であり、設置する地域の風況や季節、あるいは幟旗の形状、構造の違い等の条件に応じて多様な装着の仕方が可能となっている。
【００１８】
【関連する発明２】
また、この発明には、同じく幟旗の捲れ上がり等を防止するという同一の目的達成から、以下のとおりの構成からなる幟用乳輪止め具も包含している。    即ち、短筒状で、その周回りの一部を筒長方向に所定巾分だけ切り欠いて開口部としてなる嵌着用胴部を有し、当該装着用開口部における嵌着用胴部の外周適所には、幟旗本体の乳輪縫合部あるいは乳輪部付近の適宜補強された適所に繋がれた繋着体を連結可能とする連係部を形成して止め具本体となす一方、短筒状で、その周回りの一部を筒長方向に所定巾分だけ切り欠いて開口部としてなる規制具本体を、前記止め具本体の上方への移動を規制可能とするよう、同止め具本体よりも僅か上方となる旗竿の中途適所に装着、組み合わせるようにした構成を要旨とする幟用乳輪止め具がそれである。
【００１９】この基本的な構成による幟用乳輪止め具について、より具体的な構成のものとして示すならば、短筒状で、その周回りの一部を筒長方向に所定巾分だけ切り欠いて開口部としてなる嵌着用胴部を有し、当該装着用開口部における嵌着用胴部の外周適所には、幟旗本体の乳輪縫合部あるいは乳輪部付近の適宜補強された適所に繋がれた繋着体を連結可能とする連係部を形成して平断面略Ｃ字形とした、適度に弾性変形可能な合成樹脂製の止め具本体となす一方、短筒状で、その周回りの一部を筒長方向に所定巾分だけ切り欠いて開口部として平断面略Ｃ字形とした、適度に弾性変形可能な合成樹脂製の規制具本体を、前記止め具本体の上方への移動を規制可能とするよう、同止め具本体よりも僅か上方となる旗竿の中途適所に装着、組み合わせるようにした幟用乳輪止め具であるということができる。
【００２０】
止め具本体は、繋着体を旗竿の中途適所に所望する強度で連結し、幟旗本体が捲れたり、上方に移動しようとするのを留めて、幟旗本体の移動力によって移動してしまったときには、近接して設けられた規制具本体に干渉、係合してそれ以上の移動を阻止可能とする機能を果たすものであり、短筒状周壁の一部に旗竿中途部適所の外周壁面に対して嵌着可能とする装着用開口部を開口したものとしなければならず、外周適所には片状の連係部を一体形成すべきであって、全体を弾性変形可能な合成樹脂成型品からなるものとするのが望ましい。
【００２１】
片状の連係部は、幟旗本体の乳輪縫合部あるいは乳輪部付近の適宜補強された適所に繋がれた繋着体を、止め具本体の適所に十分な強度をもって連結可能とする機能を果たすものであり、止め具本体に一体に形成されたものとすべきであって、止め具本体の平断面略Ｃ字形に形成された一端か、あるいは両端に突設され、しかも旗竿軸方向の上側もしくは下側に片寄った位置に繋着体を連結可能な繋着孔を穿孔してなるものとすることができる。
【００２２】
繋着体は、幟旗本体の乳輪縫合部あるいは乳輪部付近の適宜補強された適所と、止め具本体適所、もしくは止め具本体に設けられた掛着片部とを繋ぎ、これによって幟旗本体の適所を止め具本体の近傍に留める機能を果たし、強風に煽られた幟旗本体が捲れ揚がろうとする力に十分に抗することのできる強度を有するものとしなければならず、紐状素材、鎖状材、環状材等を用いることができる。
【００２３】
規制具本体は、幟旗の移動力を受けて旗竿に沿って移動されてしまう止め具本体に干渉し、止め具本体のそれ以上の移動を強制的に阻止可能とする機能を果たすものであり、例えば、止め具本体の直上付近に装着することにより、幟旗が旗竿上方に捲れ揚がることを防止するものとすることができる外、止め具本体の上下側に夫々装着したものとすることにより、止め具本体の不要な上下動を阻止して、幟旗が上下にズレ動くのを防止することも可能である。
【００２４】
【関連する発明３】
前記関連する発明２の幟用乳輪止め具に関連し、この発明には、その幟用乳輪止め具の装着方法も包含しており、その構成は、以下のとおりのものとなる。
即ち、所望する箇所に適宜立設構造によって略鉛直状に立設可能であり、その上端に吊棒を片持状に横設した旗竿を有し、縦長状に形成された幟旗本体の一側縁の上下所定間隔置き複数箇所に設けられた各側縁乳輪部を、旗竿に沿って装着し、同幟旗本体の上縁に左右所定間隔置きの複数箇所に設けた各上縁乳輪部を、吊棒に沿って装着することにより、幟旗を掲揚可能とした幟旗掲揚装置の、当該幟旗の少なくとも最下位となる側縁乳輪部の直下付近となる旗竿中途適所に対し、短筒状で、その周回りの一部を筒長方向に所定巾分だけ切り欠いて開口部としてなる嵌着用胴部を有し、当該装着用開口部における嵌着用胴部の外周適所には、幟旗本体の乳輪縫合部あるいは乳輪部付近の適宜補強された適所に繋がれた繋着体を連結可能とする連係部を形成して止め具本体を嵌着すると共に、該止め具本体外周適所に形成された片状の連係部には、幟旗本体の対応する側縁乳輪部の縫合部あるいは同乳輪部付近の適宜補強された適所に繋いだ繋着体を連結した上、短筒状で、その周回りの一部を筒長方向に所定巾分だけ切り欠いて開口部としてなる規制具本体を、前記止め具本体が上方に移動するのを規制可能とするよう、当該止め具本体よりも僅か上方となる旗竿の中途適所に嵌着するようにしてなる、上記関連する発明２に示した幟用乳輪止め具の装着方法である。
【００２５】
止め具本体および規制具本体の旗竿への取り付け順序は、何れが先であっても同一の構造に組み立てることが可能であり、規制具本体を止め具本体の上側のみでなく、下側にも装着し、上下方向の移動を阻止するものとすることも可能である。また、最下位となる乳輪部についてのみ設けたものとする外、設置場所の風況や季節等の気象条件に応じて所望する複数の乳輪部について、夫々対応する箇所に、止め具本体および規制具本体を設け、繋着体で繋いだものとすることができる。                以下では、図面に示すこの発明を代表する実施例と共に、その構造について詳述することとする。
【００２６】
【実施例１】
図１の分解状態にある幟用乳輪止め具の斜視図、および図２の旗竿に装着された幟用乳輪止め具の斜視図に示される事例は、旗竿の中途適所に装着可能な短筒状に形成した周壁の一部に、装着用開口部を開口した平断面略Ｃ字形の嵌着用胴部と、同嵌着用胴部下端縁に沿って一体に形成した乳輪留め鍔部とを設け、該装着用開口部に対応する乳輪留め鍔部の互いに対峙する周方向端の双方に、旗竿の軸方向に回動状に折曲可能な連係部を一体形成してなる止め具本体を有し、前記双方の連係部を閉鎖状態に固定するよう、互いの連係部に跨って嵌着可能な連係駒を組み合わせてなる、この発明に包含される幟用乳輪止め具における代表的な一実施例を示すものである。
【００２７】
当該幟用乳輪止め具１は、適度に弾性変形可能な合成樹脂製の一体成型品であって内径寸法が、装着の対象となる旗竿７１の外径寸法よりも僅かに小径に設定された短尺円筒状であり、その周壁面の一部が切断された状態に開口された装着用開口部２２を形成し、平断面略Ｃ字形の嵌着用胴部２１を形成している。該嵌着用胴部２１の下端縁の略全長に渡って幟旗の乳輪部８２を留めることのできる所定外径寸法に設定された乳輪留め鍔部２３を一体に形成し、前記装着用開口部２２に対応する乳輪留め鍔部２３の互いに対峙する周方向端の双方に、旗竿７１の軸方向に回動状に折曲可能とする肉薄状切欠きからなるヒンジ部２５，２５を介して一対の連係部２４，２４を一体形成したものとなっている。
【００２８】
これら一対の連係部２４，２４は、互いに水平一直線状の姿勢となるよう閉鎖された状態のときに、旗竿７１の外径方向から双方の連係部２４，２４に跨るよう嵌合して、各連係部２４，２４が開放できないよう固定してしまう縦断面形が略コ字形状、あるいは横転Ｕ字形に形成された連係駒３を、脱着可能に設けたものとなっている。
【００２９】
【実施例２】
図３の分解状態にある幟用乳輪止め具の斜視図、および図４の組み立てられた幟用乳輪止め具の斜視図に示される事例は、この発明の幟用乳輪止め具に包含される他の実施例を示すものであり、旗竿の中途適所に装着可能な短筒状であって周壁の一部に装着用開口部を開口し、その外周適所には、幟旗本体の適所に繋がれた繋着体を連結可能とする片状の連係部を一体形成した止め具本体を有し、旗竿の中途適所に装着可能な短筒状に形成した周壁の一部に装着用開口部を開口した規制具本体を、同止め具本体よりも僅か上方となる旗竿の中途適所に装着可能とするよう構成されたものである。
【００３０】
当該幟用乳輪止め具１は、適度に弾性変形可能な合成樹脂製の一体成型品からなり、旗竿７１の外径寸法よりも僅かに小さな内径寸法の短筒状であって該短筒状周壁の一部に旗竿７１中途部適所の外周壁面に嵌着可能とする装着用開口部４１を開口し、平断面略Ｃ字形に形成され、その一端側外周壁の上方に片寄った位置には、幟旗本体８１の乳輪縫合部８３あるいは乳輪部付近の適宜補強された適所に繋がれた繋着体５を連結可能とする繋着孔４３を、旗竿７１の上端方向に片寄った位置に穿孔した片状の連係部４２を突設状に一体形成してなる止め具本体４を有し、該止め具本体４と同様の適度に弾性変形可能な合成樹脂成型品からなり、内径が旗竿７１の外径寸法よりも僅かに小さな寸法に設定された短筒状に形成され、周壁の一部に旗竿７１の外周壁面に対して嵌着可能とする装着用開口部６１を開口し、平断面略Ｃ字形に形成された規制具本体６を、旗竿７１の中途適所に装着可能となるように組み合わせたものである。
【００３１】
【作用】
以上のとおりの構成からなるこの発明の幟用乳輪止め具１は、以下のような装着方法により、図２または図４に示すように、幟旗掲揚装置７に対して装着、使用することが可能となる。
図１に示した幟用乳輪止め具１は、図５中に示すように、上端に所定寸法の吊棒７２を片持状に横設した所定高さ寸法の旗竿７１を、所望する箇所にスタンドや立設用の筒体等といった適宜立設構造７３によって略鉛直状に立設し、所定幅の縦長状に形成された幟旗本体８１の一側縁であって上下所定間隔置き複数箇所の夫々に、各側縁乳輪部８２，８２，……を設けた幟旗８を、各側縁乳輪部８２，８２，……を旗竿７１に沿って装着し、同幟旗本体８１の上縁に左右所定間隔置きの複数箇所に設けた各上縁乳輪部８４，８４，８４を吊棒７２に沿って装着することにより、掲揚可能とした幟旗掲揚装置７に対して比較的簡単に装着することが可能である。
【００３２】
図１および図２中に示すように、当該幟旗８の最下位となる側縁乳輪部８２の直上付近に相当する旗竿７１中途適所に対して、連係部２４，２４を上下方向の何れかの方向にヒンジ部２５，２５を中心に回動させて開放状態とした装着用開口部２２を押圧するようにし、必要に応じて止め具本体２の両端を上下に捩り変形させるようにして弾性変形を伴って嵌着させ、その後に連係部２４，２４を略水平状の閉鎖姿勢に変形させ、略一直線状に揃えられた連係部２４，２４先端部間に連係駒３を外径方向から跨るように嵌着し、連係部２４，２４が上下方向に移動して装着用開口部２２を開放しないよう固定することにより、旗竿７１の所望する適所に固定することが可能である。
【００３３】
また、図３に示した幟用乳輪止め具１は、前述と略同様に形成された幟旗掲揚装置７に対して図４中に示すように、幟旗８の最下位となる側縁乳輪部８２の直下付近に相当する旗竿７１中途適所に対し、装着用開口部４１を押圧し弾性変形させならが止め具本体４を嵌着すると共に、その片状の連係部４２に対して幟旗本体８１の最下位の側縁乳輪部８２の縫合部８３の略中央を貫通させたワイヤーや合成樹脂製の紐等からなる繋着体５を輪状に繋いで連結した上、当該止め具本体４よりも僅かに上方となる旗竿７１の中途適所に装着用開口部６１を押圧するようにして、適度に弾性変形させることによって規制具本体６を嵌着したものとすることができる。
【００３４】
【効果】
以上のとおり、この発明の幟用乳輪止め具によれば、何よりも先ず、幟旗の少なくとも最下位の側縁乳輪部を、止め具本体の乳輪留め鍔部によって旗竿の中途適所に確実に係止することができることから、強風に煽られた際の幟旗の巻き揚がりや、旗竿への巻き付き等を確実に防止することができると共に、上端の吊り棒を旗竿の軸心回りに回転自在に設けた幟旗掲揚装置に装着した場合にも、周方向の係止構造を持たないために側縁乳輪部の旗竿回りの回転を妨げることがなく、強風等の荒天下においても、幟旗を、その表示内容が良好に確認できるよう、本来の掲揚状態に自動的に保たれるよう張着することができるという秀れた特徴が得られるものである。
【００３５】
また、この発明の幟用乳輪止め具の装着方法によれば、装着用開口部に設けられた連係部を開放することにより、特別な工具類等を必要とせず、手作業によって旗竿の中途部適所に比較的簡便に装着することができ、しかも、連係部を閉鎖させた状態とした後に連係駒を嵌着させることにより、装着用開口部を開放不能な状態に閉鎖して旗竿から離脱不能な状態に固定してしまうことができ、多数本の幟旗を急いで設置しなければならないような場面であっても、速やかに幟用乳輪止め具を装着することができるという大きな効果を発揮するものとなる。
【００３６】
さらにまた、この発明に包含される幟用乳輪止め具によれば、幟旗の側縁乳輪部が繋着された止め具本体の、直上となる位置に規制具本体を設けたものとしたことにより、旗止め環の上昇を規制して幟旗の巻き揚がりや、旗竿への纏い付き等を確実に防止でき、しかも、旗止め環および規制具本体は、何れも短尺筒状に形成された周壁面の一部に装着用開口部を形成してあって、旗竿の中途適所に押圧状に操作することにより、何等の工具類を必要とせずに嵌着することができるものとなることから、装着作業性に秀れるという極めて有用な特徴を発揮することになる。
【００３７】
そして、この発明に包含される幟用乳輪止め具の装着方法によれば、側縁乳輪部の乳輪縫合部、あるいは同乳輪部付近の適宜補強された適所に繋いだ繋着体を、止め具本体に繋着したものとすることにより、乳輪部に過大な荷重が加わってしもうのを防止できる上、繋着体を繋ぐ片状の連係部の向きを適宜所望する方向に設定することにより、幟旗の凡その向きを規制して、例えば複数基の幟旗掲揚装置を整然と林立させるよう設置する場合にあっても、幟旗の向きを一定方向に揃えて整然と配列させることが可能となるという大きな効果がきた期待できるものとなる。
【００３８】
特に、図１および図２の実施例に説明した幟用乳輪止め具、およびその装着方法は、上記した特徴に加え、弾性変形可能な合成樹脂成型品からなり、乳輪留め鍔部２３の装着用開口部２２に対応する両端縁に、薄肉状のヒンジ部２５，２５を介して連係部２４，２４を一体形成したことにより、部品点数を削減し、比較的低廉に製造可能な構造とすることができると共に、連係部２４，２４の回動方向を、旗竿７１の軸心方向に設定したことによって連係部２４，２４を閉鎖させた状態では、旗竿７１の径方向への移動を阻止して、不用意な離脱を防止できるものとし、さらに、閉鎖状態にある連係部２４，２４に対して、連係部２４，２４の開閉方向に直交する方向から連係駒を嵌着させることにより、より高い閉鎖強度を確保して、当該幟用乳輪止め具１を旗竿７１から不用意に離脱しないよう、強固に固着することができるという効果を発揮する。
【００３９】
また、図３および図４の他の実施例に説明した幟用乳輪止め具、およびその装着方法は、止め具本体４の装着用開口部４１に対応する一端の外周壁の旗竿７１上端側に片寄った位置に繋着孔４３を穿孔した片状の連係部４２を突設したことにより、片状の連係部４２を装着用開口部４１とは反対側となる外周壁中央部に突設した場合に比較して旗竿７１への嵌着強度を格段に高めることができる上、繋着孔４３の穿孔位置を、旗竿７１の上端側に設定したことにより、繋着孔４３に繋いだ繋着体５に加わる、幟旗８からの牽引力に抗する強度を高めて、より確実に幟旗８の張着状態を正常に維持できるものとすることできるという利点が得られることになる。
【００４０】
叙述の如く、この発明の幟用乳輪止め具、およびその幟用乳輪止め具の装着方法は、その新規な構成によって所期の目的を遍く達成可能とするものであり、しかも製造も容易で、従前からの乳輪止め具に比較し、遥かに経済的なものとすることができる上、その取り付け作業効率自体も大幅に高めることができることから、費用の削減と設置作業の工数短縮とを確実に達成可能にするものであり、広告効果の向上が求められる広告、宣伝業界において高く評価されると共に、幟による広告宣伝を欠かせない各種業種に係わる人々からも好評を泊し、広範に渡って利用、普及していくものになると予想される。
【図面の簡単な説明】
図面は、この発明の幟用乳輪止め具、およびその幟用乳輪止め具の装着方法の技術的思想を具現化した代表的な幾つかの実施例を示すものである。
【図１】幟用乳輪止め具の分解状態を示す斜視図である。
【図２】幟用乳輪止め具の使用状態を示す斜視図である。
【図３】他の実施例における幟用乳輪止め具の分解状態を示す斜視図である。
【図４】他の実施例における幟用乳輪止め具の使用状態を示す斜視図である。
【図５】一般的な幟旗掲揚装置を示す正面図である。
【図６】巻き揚げ状態にある幟旗掲揚装置を示す正面図である。
【図７】巻き付き状態にある幟旗掲揚装置を示す正面図である。
【符号の説明】
１      幟用乳輪止め具
２      止め具本体
２１    同  嵌着用胴部
２２    同  装着用開口部
２３    同  乳輪留め鍔部
２４    同  連係部
２５    同  ヒンジ部
３      連係駒
４      止め具本体
４１    同  装着用開口部
４２    同  片状の連係部
４３    同  繋着孔
５      繋着体
６      規制具本体
６１    同  装着用開口部
７      幟旗掲揚装置
７１    同  旗竿
７２    同  吊棒
７３    同  立設構造
８      幟旗
８１    同  幟旗本体
８２    同  側縁乳輪部
８３    同  乳輪縫合部
８４    同  上縁乳輪部
【図１】
2004157194.tif 000003
【図２】
2004157194.tif 000004
【図３】
2004157194.tif 000005
【図４】
2004157194.tif 000006
【図５】
2004157194.tif 000007
【図６】
2004157194.tif 000008
【図７】
2004157194.tif 000009